(57)【要約】【課題】非接触型ＩＣカードを利用した場合のユーザの利用期間を適切に設定することができる電子機器を提供すること目的とする。【解決手段】非接触型ＩＣカードを用いてユーザ認証を行い、ユーザ認証結果に基づいて、当該ユーザが機器を利用することを許可する電子機器であって、ユーザ認証時の前記非接触型ＩＣカードの信号検出態様に応じて、前記許可する期間を設定するようにしたものである。また、ユーザ認証時の前記非接触型ＩＣカードの信号検出期間が第１の設定時間より短い場合は、前記許可する期間を第２の設定時間に決定する一方、前記信号検出期間が第１の設定時間より長い場合は、その時点で前記許可する期間を開始し、前記非接触型ＩＣカードの信号を検出終了した時点で、前記許可する期間を終了するようにしたものである。【選択図】        図１
2008117048.tif 000002
【特許請求の範囲】
【請求項１】
非接触型ＩＣカードを用いてユーザ認証を行い、ユーザ認証結果に基づいて、当該ユーザが機器を利用することを許可する電子機器であって、
ユーザ認証時の前記非接触型ＩＣカードの信号検出態様に応じて、前記許可する期間を設定することを特徴とする電子機器。
【請求項２】
ユーザ認証時の前記非接触型ＩＣカードの信号検出期間が第１の設定時間より短い場合は、前記許可する期間を第２の設定時間に決定する一方、
前記信号検出期間が第１の設定時間より長い場合は、その時点で前記許可する期間を開始し、前記非接触型ＩＣカードの信号を検出終了した時点で、前記許可する期間を終了することを特徴とする請求項１記載の電子機器。
【請求項３】
前記第１の設定時間および前記第２の設定時間は、それぞれのユーザについて設定されていることを特徴とする請求項２記載の電子機器。
【請求項４】
ユーザ認証時の前記非接触型ＩＣカードの信号検出期間が第１の設定時間より短い場合は、その時点で前記許可する期間を開始し、その後、前記非接触型ＩＣカードの信号を検出した時点で、前記許可する期間を終了する一方、
前記信号検出期間が第１の設定時間より長い場合は、その時点で前記許可する期間を開始し、前記非接触型ＩＣカードの信号を検出終了した時点で、前記許可する期間を終了することを特徴とする請求項１記載の電子機器。
【請求項５】
前記第１の設定時間は、それぞれのユーザについて設定されていることを特徴とする請求項４記載の電子機器。
【発明の詳細な説明】
【技術分野】
【０００１】
本発明は、非接触型ＩＣカードを用いてユーザ認証を行い、ユーザ認証結果に基づいて、当該ユーザが機器を利用することを許可する電子機器に関する。
【背景技術】
【０００２】
従来から、電子機器を利用するために利用者を特定するための手段として磁気カードなどの接触カードが利用されていた。このような接触カードでは、カードリーダとカードが物理的に接触しているため、利用者を特定した後、カードの接触が解除された時点で、利用を許可する期間を終了するようにすることで、利用許可期間を決定することは容易であった。
【０００３】
最近、磁気カードに変わって、個人認証や入退室管理に非接触型ＩＣカードが利用されるようになっており、従来の電子機器の利用者特定手段として磁気カードの代わりに利用したいというニーズがある。
【特許文献１】特開２００５-０１１３２２号公報
【発明の開示】
【発明が解決しようとする課題】
【０００４】
しかしながら、磁気カードと異なり、物理的にカードリーダと非接触型ＩＣカードが接続されていないため、電子機器を利用可能とした後、利用禁止とするタイミングの決定が困難である。
【０００５】
一方、従来の磁気カードと同様に、非接触型ＩＣカードが読み取り可能な期間のみ、被管理装置を利用可能とした場合には、非接触型ＩＣカードを利用するメリットが失われてしまうという不具合を生じる。
【０００６】
本発明は、かかる実情に鑑みてなされたものであり、非接触型ＩＣカードを利用した場合のユーザの利用期間を適切に設定することができる電子機器を提供すること目的とする。
【課題を解決するための手段】
【０００７】
本発明は、非接触型ＩＣカードを用いてユーザ認証を行い、ユーザ認証結果に基づいて、当該ユーザが機器を利用することを許可する電子機器であって、ユーザ認証時の前記非接触型ＩＣカードの信号検出態様に応じて、前記許可する期間を設定するようにしたものである。
【０００８】
また、ユーザ認証時の前記非接触型ＩＣカードの信号検出期間が第１の設定時間より短い場合は、前記許可する期間を第２の設定時間に決定する一方、前記信号検出期間が第１の設定時間より長い場合は、その時点で前記許可する期間を開始し、前記非接触型ＩＣカードの信号を検出終了した時点で、前記許可する期間を終了するようにしたものである。また、前記第１の設定時間および前記第２の設定時間は、それぞれのユーザについて設定されているものである。
【０００９】
また、ユーザ認証時の前記非接触型ＩＣカードの信号検出期間が第１の設定時間より短い場合は、その時点で前記許可する期間を開始し、その後、前記非接触型ＩＣカードの信号を検出した時点で、前記許可する期間を終了する一方、前記信号検出期間が第１の設定時間より長い場合は、その時点で前記許可する期間を開始し、前記非接触型ＩＣカードの信号を検出終了した時点で、前記許可する期間を終了するようにしたものである。また、前記第１の設定時間は、それぞれのユーザについて設定されているものである。
【発明の効果】
【００１０】
したがって、本発明によれば、非接触型ＩＣカードを利用してユーザ認証を行う場合のユーザの利用許可期間を適切に設定することができるという効果を得る。
【発明を実施するための最良の形態】
【００１１】
以下、添付図面を参照しながら、本発明の実施の形態を詳細に説明する。
【００１２】
図１は、本発明の一実施例にかかる電子機器システムの一例を示している。この電子機器システムは、非接触型ＩＣカードＤＤを用いてユーザ認証を行う管理装置ＣＣと、当該管理装置ＣＣによりユーザの利用許可期間が制御される被管理装置ＭＭから構成されている。
【００１３】
また、管理装置ＣＣには、非接触型ＩＣカードＤＤの情報を読み込むためのＩＣカードリーダＲＤが設けられている。ここで、ＩＣカードリーダＲＤは、非接触型ＩＣカードＤＤが近接した状態、例えば、数ｃｍ程度まで近づいている状態で、非接触型ＩＣカードＤＤの信号を検出することができ、１０ｃｍ以上離れている状態では、非接触型ＩＣカードＤＤの信号を検出することができない。
【００１４】
また、被管理装置ＭＭは、例えば、プリンタ装置、ファクシミリ装置、デジタル複写機、スキャナ装置などの画像処理装置や、ネットワーク家電、空調システムなどの電子装置である。
【００１５】
図２は、管理装置ＣＣの構成の一例を示している。
【００１６】
同図において、ＣＰＵ（中央処理装置）１は、この管理装置ＣＣの動作制御を行うものであり、ＲＯＭ（リード・オンリ・メモリ）２は、ＣＰＵ１が起動時に実行するプログラムや必要なデータ等を記憶するためのものであり、ＲＡＭ（ランダム・アクセス・メモリ）３は、ＣＰＵ２１のワークエリア等を構成するためのものである。
【００１７】
外部インタフェース回路４は、外部装置である被管理装置ＭＭと接続し、被管理装置ＭＭとの間で種々の情報をやりとりするためのものであり、例えば、ユーザ利用許可開始、および、ユーザ利用許可終了を通知する。
【００１８】
ＵＳＢコントローラ５は、ＩＣカードリーダＲＤを接続し、ＩＣカードリーダＲＤがＩＣカードＤＤから読み取った各種データを入力するためのものであり、カードコントローラ６は、メモリカードスロット７を介して接続されるメモリカードＭＣに対してデータの読出、および、書き込みを行うものである。
【００１９】
これらのＣＰＵ１、ＲＯＭ２、ＲＡＭ３、外部インタフェース回路４、ＵＳＢコントローラ５、および、カードコントローラ６は、バス８に接続されており、これらの各要素間のデータのやりとりは、主としてこのバス８を介して行われる。
【００２０】
また、管理装置ＣＣには、被管理装置ＭＭを利用するそれぞれのユーザについて、例えば、図３に示すようなユーザ管理情報を作成し、例えば、メモリカードＭＣなどに保存している。
【００２１】
このユーザ管理情報は、それぞれのユーザに配布した非接触型ＩＣカードＤＤに一意に登録されているユーザＩＤ、当該非接触型ＩＣカードＤＤを利用するユーザの種々の情報を登録したユーザ情報、後述する期間Ｔ１，Ｔ２の値、後述する許可期間決定方法のいずれを適用するかをあらわす期間決定方法種別、および、その他の情報からなる。
【００２２】
また、ユーザ情報としては、例えば、ユーザ名、ユーザの所属部署名、ユーザが属するユーザグループ、各種機能についての利用権限など、被管理装置ＭＭを利用する際に参照される種々の情報が含まれる。
【００２３】
以上の構成で、被管理装置ＭＭの利用を希望するユーザは、管理者を通じて非接触型ＩＣカードＤＤを発行してもらい、自分の情報を登録する。これにより、管理者は、ユーザからの申し出に従って上述したユーザ管理情報を作成して、管理装置ＣＣに登録する。このとき、時間Ｔ１，Ｔ２については、システムであらかじめ設定されているシステムデフォルト値を初期値として登録するが、ユーザからの申し出によって、適宜な値に変更することができる。
【００２４】
ここで、ユーザの利用許可期間決定方法は、次の２つの方法がある。
【００２５】
（１）許可期間決定方法１
ユーザが非接触型ＩＣカードＤＤをＩＣカードリーダＣＤにかざしている期間が時間Ｔ１を超えると、非接触型ＩＣカードＤＤをＩＣカードリーダＣＤにかざす動作を終了した時点で、ユーザは被管理装置ＭＭを利用できなくなる。
また、ユーザが非接触型ＩＣカードＤＤをＩＣカードリーダＣＤにかざしている期間が時間Ｔ１を超えない場合、ユーザは、時間Ｔ２の期間、被管理装置ＭＭを利用することができる。
【００２６】
（２）許可期間決定方法２
ユーザが非接触型ＩＣカードＤＤをＩＣカードリーダＣＤにかざしている期間が時間Ｔ１を超えると、非接触型ＩＣカードＤＤをＩＣカードリーダＣＤにかざす動作を終了した時点で、ユーザは被管理装置ＭＭを利用できなくなる。
また、ユーザが非接触型ＩＣカードＤＤをＩＣカードリーダＣＤにかざしている期間が時間Ｔ１を超えない場合、ユーザが非接触型ＩＣカードＤＤをＩＣカードリーダＣＤに再度かざすまでの期間、ユーザは、被管理装置ＭＭを利用することができる。
【００２７】
そして、この時間Ｔ１のシステムデフォルト値としては、例えば、５秒間が設定され、時間２のシステムデフォルト値としては、例えば、３０（〜６０）秒間が設定される。また、ユーザの申し出により設定可能な時間は、システムデフォルト値から大きくはずれていない値が好ましい。
【００２８】
図４は、ＩＣカードリーダＲＤが非接触型ＩＣカードＤＤの信号を検出した際の管理装置ＣＣの処理の一例を示している。
【００２９】
ＩＣカードリーダＣＤが非接触型ＩＣカードＤＤの信号を検出すると（判断１０１の結果がＹＥＳ）、ＩＣカードリーダＲＤから非接触型ＩＣカードＤＤのカードＩＤを取得し（処理１０２）、カードＩＤに対応したユーザ管理情報を読み込む（処理１０３）。
【００３０】
ここで、カードＩＤに対応したユーザ管理情報が登録されていて、カードＩＤに対応したユーザ管理情報を読み込めた場合には、ユーザ認証の結果をＯＫとする（処理１０４、判断１０５の結果がＹＥＳ）。一方、カードＩＤに対応したユーザ管理情報が登録されていない場合で、カードＩＤに対応したユーザ管理情報を読み込めなかった場合には（判断１０５の結果がＮＯ）、認証ＮＧを表示して（処理１０６）、このときの処理を終了する。この認証ＮＧの表示は、例えば、ＩＣカードＤＤの赤色ＬＥＤ点灯等を適用することができる。
【００３１】
一方、判断１０５の結果がＹＥＳになるときには、認証ＯＫを表示する（処理１０７）。ここで、認証ＯＫの表示は、例えば、ＩＣカードＤＤの緑色ＬＥＤ点灯等を適用することができる。
【００３２】
次いで、ユーザ管理情報の期間決定方法種別の値に期間決定方法１が登録されているかどうかを調べ（判断１０８）、判断１０８の結果がＹＥＳになるときには、時間Ｔ１，Ｔ２の値を取得した状態で許可期間決定処理１を開始し（処理１０９）、判断１０８の結果がＮＯになるときには、時間Ｔ１の値を取得した状態で許可期間決定処理２を開始する（処理１１０）。
【００３３】
図５は、許可期間決定処理１の一例を示している。
【００３４】
まず、タイマＴの計時を開始し（処理２０１）、ＩＣカードリーダＣＤが非接触型ＩＣカードＤＤの信号を検出している期間が、時間Ｔ１を超えたかどうかを調べる（判断２０２，２０３のＮＯループ）。
【００３５】
ＩＣカードリーダＣＤが非接触型ＩＣカードＤＤの信号を検出している期間が、時間Ｔ１を超えた場合で、判断２０２の結果がＹＥＳになるときには、当該ユーザが被管理装置ＭＭを使用する許可を開始し、その旨を、被管理装置ＭＭへ通知する（処理２０４）。このとき、ユーザ管理情報に登録されているユーザ情報のうち、機器操作に関する権限等の情報を被管理装置ＭＭへ通知して、ユーザに設定されている操作権限を有効にすることができる。
【００３６】
この後は、ＩＣカードリーダＣＤが非接触型ＩＣカードＤＤの信号を検出しなくなることを監視し（判断２０５のＮＯループ）、判断２０５の結果がＹＥＳになると、当該ユーザの利用許可を終了する旨を被管理装置ＭＭへ通知する（処理２０６）。
【００３７】
また、ＩＣカードリーダＣＤが非接触型ＩＣカードＤＤの信号を検出している期間が、時間Ｔ１を超えなかった場合で、判断２０３の結果がＮＯになるときには、当該ユーザが被管理装置ＭＭを使用する許可を開始し、その旨を、被管理装置ＭＭへ通知する（処理２０７）。このとき、ユーザ管理情報に登録されているユーザ情報のうち、機器操作に関する権限等の情報を被管理装置ＭＭへ通知して、ユーザに設定されている操作権限を有効にすることができる。
【００３８】
この後は、タイマＴの値が時間Ｔ２を超えることを監視し（判断２０８のＮＯループ）、判断２０８の結果がＹＥＳになると、当該ユーザの利用許可を終了する旨を被管理装置ＭＭへ通知する（処理２０９）。
【００３９】
図６は、許可期間決定処理２の一例を示している。
【００４０】
まず、タイマＴの計時を開始し（処理３０１）、ＩＣカードリーダＣＤが非接触型ＩＣカードＤＤの信号を検出している期間が、時間Ｔ１を超えたかどうかを調べる（判断３０２，３０３のＮＯループ）。
【００４１】
ＩＣカードリーダＣＤが非接触型ＩＣカードＤＤの信号を検出している期間が、時間Ｔ１を超えた場合で、判断３０２の結果がＹＥＳになるときには、当該ユーザが被管理装置ＭＭを使用する許可を開始し、その旨を、被管理装置ＭＭへ通知する（処理３０４）。このとき、ユーザ管理情報に登録されているユーザ情報のうち、機器操作に関する権限等の情報を被管理装置ＭＭへ通知して、ユーザに設定されている操作権限を有効にすることができる。
【００４２】
この後は、ＩＣカードリーダＣＤが非接触型ＩＣカードＤＤの信号を検出しなくなることを監視し（判断３０５のＮＯループ）、判断３０５の結果がＹＥＳになると、当該ユーザの利用許可を終了する旨を被管理装置ＭＭへ通知する（処理３０６）。
【００４３】
また、ＩＣカードリーダＣＤが非接触型ＩＣカードＤＤの信号を検出している期間が、時間Ｔ１を超えなかった場合で、判断３０３の結果がＮＯになるときには、当該ユーザが被管理装置ＭＭを使用する許可を開始し、その旨を、被管理装置ＭＭへ通知する（処理３０７）。このとき、ユーザ管理情報に登録されているユーザ情報のうち、機器操作に関する権限等の情報を被管理装置ＭＭへ通知して、ユーザに設定されている操作権限を有効にすることができる。
【００４４】
この後は、ＩＣカードリーダＣＤが非接触型ＩＣカードＤＤの信号を検出していることを監視し（判断３０８のＮＯループ）、判断３０８の結果がＹＥＳになると、当該ユーザの利用許可を終了する旨を被管理装置ＭＭへ通知する（処理３０９）。
【００４５】
このようにして、本実施例では、ユーザが非接触型ＩＣカードＤＤをカードリーダＲＤへかざしている期間により、ユーザが被管理装置ＭＭを利用できる期間を決定しているので、非接触型ＩＣカードＤＤを用いた場合のユーザの利用期間を適切に設定することができる。
【００４６】
ところで、上述した実施例では、ユーザ認証を行う管理装置ＣＣと被管理装置ＭＭを分離して構成しているが、これらをまとめて１つの電子装置を構成することもできる。また、管理装置ＣＣがネットワークを介して多数の被管理装置ＭＭのユーザ認証を行う場合についても、本発明を同様にして適用することができる。
【図面の簡単な説明】
【００４７】
【図１】本発明の一実施例にかかる電子機器システムの一例を示したブロック図。
【図２】管理装置ＣＣの構成の一例を示したブロック図。
【図３】ユーザ管理情報の一例を示した概略図。
【図４】ＩＣカードリーダＲＤが非接触型ＩＣカードＤＤの信号を検出した際の管理装置ＣＣの処理の一例を示したフローチャート。
【図５】許可期間決定処理１の一例を示したフローチャート。
【図６】許可期間決定処理２の一例を示したフローチャート。
【符号の説明】
【００４８】
ＣＣ  管理装置
ＭＭ  被管理装置
ＲＤ  ＩＣカードリーダ
ＤＤ  非接触型ＩＣカード
【図１】
2008117048.tif 000003
【図２】
2008117048.tif 000004
【図３】
2008117048.tif 000005
【図４】
2008117048.tif 000006
【図５】
2008117048.tif 000007
【図６】
2008117048.tif 000008